(57)【要約】【課題】ノズル近傍でのシートの浮き上がりを抑制し、且つシートの幅方向の端部の検知を妨げないインクジェット記録装置を提供する。【解決手段】当該装置は、キャリッジ２３に搭載されて記録用紙１２にノズル４０からインク滴を吐出する記録ヘッド３９と、ノズル４０より搬送向きの上流側でキャリッジ２３に搭載され、プラテン４２上の記録用紙１２の検知に用いられるメディアセンサ１１０と、ノズル４０より搬送向き１６の上流側に配置された第１当接部８０Ａとを備え、第１当接部８０Ａの搬送向きの下流端は、給紙トレイ２０に載置可能な記録用紙１２のうち走査方向の長さが最も短い最小シートの走査方向の両端より内側に対応する領域のみにおいて、搬送向き１６においてメディアセンサ１１０の検知領域と重畳する位置まで延出されている。【選択図】図２
2014069395.tif 000002
【特許請求の範囲】
【請求項１】
複数の定型サイズのシートを載置可能な載置部と、
上記載置部に載置されたシートを搬送向きに搬送する搬送部と、
上記搬送部より上記搬送向きの下流側に配置されたプラテンと、
上記プラテンに対向して配置され、上記搬送向きと直交する走査方向に往復動するキャリッジと、
上記キャリッジに搭載され、シートにノズルからインク滴を吐出する記録ヘッドと、
上記ノズルより上記搬送向きの上流側で上記キャリッジに搭載され、上記プラテン上のシートの検知に用いられるメディアセンサと、
上記搬送向き及び上記走査方向に直交する対向方向において、上記キャリッジと上記プラテンとの間に設けられ、上記ノズルより上記搬送向きの上流側に配置された第１当接部と、を備え、
上記第１当接部の上記搬送向きの下流端は、上記載置部に載置可能なシートのうち上記走査方向の長さが最も短い最小シートの上記走査方向の両端より内側に対応する領域のみにおいて、上記搬送向きにおいて上記メディアセンサの検知領域と重畳する位置まで延出されているインクジェット記録装置。
【請求項２】
上記第１当接部は、上記走査方向の複数の位置に設けられている請求項１に記載のインクジェット記録装置。
【請求項３】
上記プラテンは、上記走査方向に隣接する上記第１当接部の間の位置から上記キャリッジ側に向けて突出する第１リブを備える請求項２に記載のインクジェット記録装置。
【請求項４】
上記対向方向において上記メディアセンサと上記プラテンとの間に設けられ、上記最小シートの上記走査方向の端より外側に対応する領域に配置される第２当接部を更に備え、
上記第２当接部の上記搬送向きの下流端は、上記搬送向きにおいて上記メディアセンサの検知領域より上流側に位置する請求項１から３のいずれかに記載のインクジェット記録装置。
【請求項５】
上記第２当接部は、上記走査方向の複数の位置に設けられている請求項４に記載のインクジェット記録装置。
【請求項６】
上記プラテンは、上記走査方向に隣接する上記第２当接部の間の位置から上記キャリッジ側に向けて突出し、上記第２当接部とシートとの当接位置より上記キャリッジに近い位置でシートと当接する第２リブを備える請求項５に記載のインクジェット記録装置。
【請求項７】
上記メディアセンサは、上記プラテンに向けて光を照射する発光部、及び上記発光部によって照射された光の反射光を受ける受光部を、上記搬送向きに沿って上記キャリッジに並べて構成されており、
上記第１当接部の上記搬送向きの下流端は、上記搬送向きにおいて、上記発光部から照射された光の上記プラテンにおける反射位置と重畳する位置まで延出されている請求項１から６のいずれかに記載のインクジェット記録装置。
【請求項８】
上記第１当接部は、上記プラテンの上記走査方向における中央を基準として、上記走査方向に対称な領域それぞれにおいて、上記プラテンと対向する請求項１から７のいずれかに記載のインクジェット記録装置。
【請求項９】
上記載置部は、上記複数の定型サイズのシートのそれぞれの上記走査方向の中央を予め定められた基準位置に一致させた状態において、当該シートの上記走査方向の両端の位置を決定する位置決め部材を備える請求項１から８のいずれかに記載のインクジェット記録装置。
【請求項１０】
上記載置部には、複数の定型サイズのシートのそれぞれについて、載置されたシートの上記走査方向の少なくとも一方側の端の位置を示す目印が付されており、
上記最小シートは、上記目印によって規定される最小の定型サイズのシートである請求項１から９のいずれかに記載のインクジェット記録装置。
【発明の詳細な説明】
【技術分野】
【０００１】
本発明は、搬送路に沿って搬送されるシートの幅方向の両端を検知するインクジェット記録装置に関する。
【背景技術】
【０００２】
従来より、ノズルの近傍まで搬送されたシートの幅方向の端部を検知するメディアセンサを備えるインクジェット記録装置が知られている。このメディアセンサは、例えば、キャリッジに搭載されて搬送路を走査方向に走査することによって、搬送路上のシートの幅方向の端部を検知するものである。
【０００３】
また、様々なサイズ及び紙厚のシートに画像を記録できるインクジェット記録装置が知られている。ここで、例えば封筒などは、普通紙などと比べて紙厚が厚いので、搬送中に搬送路から浮き上がると、インクジェットヘッドのノズル面と擦れて汚れる可能性がある。そこで、例えば特許文献１には、キャリッジの走査方向に沿った複数箇所に、シートを上側から押さえる押さえ部材を備えるインクジェット記録装置が開示されている。
【先行技術文献】
【特許文献】
【０００４】
【特許文献１】特開２０００−７１５３２号公報
【発明の概要】
【発明が解決しようとする課題】
【０００５】
しかしながら、特許文献１には、走査方向に沿って複数の押さえ部材が設けられているため、メディアセンサと押さえ部材とが搬送方向にオーバーラップすると、シートの端部を正確に検知できなくなる可能性がある。一方、メディアセンサより搬送路の上流に押さえ部材を配置すると、ノズル近傍でシートを押さえることができないので、シートの浮き上がりによる汚れや紙詰まり等が発生しやすくなる。
【０００６】
本発明は、上記の事情に鑑みてなされたものであり、その目的は、ノズル近傍でのシートの浮き上がりを抑制し、且つシートの幅方向の端部の検知を妨げないインクジェット記録装置を提供することである。
【課題を解決するための手段】
【０００７】
(1)  本発明に係るインクジェット記録装置は、複数の定型サイズのシートを載置可能な載置部と、上記載置部に載置されたシートを搬送向きに搬送する搬送部と、上記搬送部より上記搬送向きの下流側に配置されたプラテンと、上記プラテンに対向して配置され、上記搬送向きと直交する走査方向に往復動するキャリッジと、上記キャリッジに搭載され、シートにノズルからインク滴を吐出する記録ヘッドと、上記ノズルより上記搬送向きの上流側で上記キャリッジに搭載され、上記プラテン上のシートの検知に用いられるメディアセンサと、上記搬送向き及び上記走査方向に直交する対向方向において、上記キャリッジと上記プラテンとの間に設けられ、上記ノズルより上記搬送向きの上流側に配置された第１当接部とを備える。そして、上記第１当接部の上記搬送向きの下流端は、上記載置部に載置可能なシートのうち上記走査方向の長さが最も短い最小シートの上記走査方向の両端より内側に対応する領域のみにおいて、上記搬送向きにおいて上記メディアセンサの検知領域と重畳する位置まで延出されている。
【０００８】
上記構成によれば、第１当接部の下流端が搬送向きにおいてメディアセンサの検知領域と重畳する位置まで延出されているので、ノズル近傍におけるシートの浮き上がりを抑制することができる。また、第１当接部は、走査方向において載置部に載置可能な最小シートの幅方向（走査方向）の両端より内側の領域のみに設けられているので、メディアセンサによるシートの検知を妨げることがない。
【０００９】
(2)  好ましくは、上記第１当接部は、上記走査方向の複数の位置に設けられている。
【００１０】
上記構成によれば、ノズル近傍におけるシートの浮き上がりを有効に抑制できる。
【００１１】
(3)  好ましくは、上記プラテンは、上記走査方向に隣接する上記第１当接部の間の位置から上記キャリッジ側に向けて突出する第１リブを備える。
【００１２】
(4)  好ましくは、上記対向方向において上記メディアセンサと上記プラテンとの間に設けられ、上記最小シートの上記走査方向の端より外側に対応する領域に配置される第２当接部を更に備える。そして、上記第２当接部の上記搬送向きの下流端は、上記搬送向きにおいて上記メディアセンサの検知領域より上流側に位置する。
【００１３】
上記構成によれば、サイズの大きなシートの浮き上がりを走査方向の複数箇所で抑制できる。
【００１４】
(5)  好ましくは、上記第２当接部は、上記走査方向の複数の位置に設けられている。
【００１５】
上記構成によれば、シートの浮き上がりをさらに有効に抑制できる。
【００１６】
(6)  好ましくは、上記プラテンは、上記走査方向に隣接する上記第２当接部の間の位置から上記キャリッジ側に向けて突出し、上記第２当接部とシートとの当接位置より上記キャリッジに近い位置でシートと当接する第２リブを備える。
【００１７】
上記構成によれば、第２当接部と第２リブとの間でシートが走査方向に波打って剛性が増す結果、シートの浮き上がりを有効に抑制できる。
【００１８】
(7)  好ましくは、上記メディアセンサは、上記プラテンに向けて光を照射する発光部、及び上記発光部によって照射された光の反射光を受ける受光部を、上記搬送向きに沿って上記キャリッジに並べて構成されている。そして、上記第１当接部の上記搬送向きの下流端は、上記搬送向きにおいて、上記発光部から照射された光の上記プラテンにおける反射位置と重畳する位置まで延出されている。
【００１９】
上記構成によれば、第１当接部の下流端をノズルの近傍まで延出させたとしても、発光部から受光部に至る光路を第１当接部によって遮られないので、ノズル近傍でのシートの浮き上がりを抑制できると共に、シートの幅方向の端部の検知を妨げなることがない。
【００２０】
(8)  好ましくは、上記第１当接部は、上記プラテンの上記走査方向における中央を基準として、上記走査方向に対称な領域それぞれにおいて、上記プラテンと対向する。
【００２１】
(9)  好ましくは、上記載置部は、上記複数の定型サイズのシートのそれぞれの上記走査方向の中央を予め定められた基準位置に一致させた状態において、当該シートの上記走査方向の両端の位置を決定する位置決め部材を備える。
【００２２】
上記構成のように、シートの幅方向の中央を載置部の基準位置に一致させて載置することにより、搬送路上において、最小シートとその他のサイズのシートとの幅方向の中央の位置が一致する。その結果、第１当接部は、載置部に載置可能なあらゆるサイズのシートの幅方向の中央に近い位置で当該シートの浮き上がりを抑制できる。
【００２３】
(10)  好ましくは、上記載置部には、複数の定型サイズのシートのそれぞれについて、載置されたシートの上記走査方向の少なくとも一方側の端の位置を示す目印が付されている。そして、上記最小シートは、上記目印によって規定される最小の定型サイズのシートである。
【００２４】
但し、最小シートのサイズを規定する方法は上記の例に限定されない。例えば、載置部に設けられた位置決め部材によって規定される最小の定型サイズのシートを最小シートとしてもよいし、当該インクジェット記録装置に備えられた制御部が認識し得る最小の定型サイズのシートを最小シートとしてもよい。
【発明の効果】
【００２５】
本発明によれば、ノズル近傍でのシートの浮き上がりを抑制し、且つシートの幅方向の端部の検知を妨げないインクジェット記録装置を得ることができる。
【図面の簡単な説明】
【００２６】
【図１】図１は、複合機１０の外観斜視図である。
【図２】図２は、プリンタ部１１の内部構造を模式的に示す縦断面図である。
【図３】図３は、給紙トレイ２０の斜視図である。
【図４】図４は、記録部２４とプラテン４２とガイドレール４３、４４とを示す斜視図である。
【図５】図５は、当接部材８０と搬送ローラ６０とプラテン４２と排出ローラ対５５とを示す斜視図である。
【図６】図６は、プラテン４２と当接部材８０と記録用紙１２とを示す断面図である。
【図７】図７は、制御部１３０の構成を示すブロック図である。
【図８】図８は、変形例１に係るプラテン４２、支持リブ５２、当接部材８０の当接部８３、及びメディアセンサ１１０の検知領域１００の位置関係を示す模式図であって、（Ａ）は平面図であり、（Ｂ）は搬送向き１６の上流側から見た断面図である。
【図９】図９は、変形例２に係るプラテン４２、支持リブ５２、当接部材８０の当接部８３、及びメディアセンサ１１０の検知領域１００の位置関係を示す模式図である。
【発明を実施するための形態】
【００２７】
以下、本発明の実施形態について説明する。なお、以下に説明される実施形態は本発明の一例にすぎず、本発明の要旨を変更しない範囲で、本発明の実施形態を適宜変更できることは言うまでもない。また、以下の説明においては、複合機１０が使用可能に設置された状態（図１の状態）を基準として上下方向７が定義され、開口１３が設けられている側を手前側（正面）として前後方向８が定義され、複合機１０を手前側（正面）から見て左右方向９が定義される。
【００２８】
［複合機１０の全体構成］
図１に示されるように、複合機１０には、概ね直方体に形成されており、下部にインクジェット記録方式で記録用紙１２（図２参照）に画像を記録するプリンタ部１１（本発明の画像記録装置の一例）が設けられている。複合機１０は、ファクシミリ機能及びプリント機能などの各種の機能を有している。
【００２９】
プリンタ部１１には、正面に開口１３が形成されている。各種サイズの記録用紙１２を載置可能な給紙トレイ２０（本発明の載置部の一例）が、開口１３から前後方向８に挿抜可能である。排紙トレイ２１は、給紙トレイ２０の上側に給紙トレイ２０と重ねられて設けられている。排紙トレイ２１は、給紙トレイ２０と一体に開口１３に挿抜される。
【００３０】
図２に示されるように、プリンタ部１１は、給紙トレイ２０から記録用紙１２をピックアップして搬送路６５に給送する給紙部１５と、給紙部１５によって搬送路６５に給送された記録用紙１２を搬送向き１６の下流側に搬送する搬送ローラ対５４（本発明の搬送部の一例）と、搬送ローラ対５４によって搬送された記録用紙１２に画像を記録する記録部２４と、記録部２４によって画像が記録された記録用紙１２を排紙トレイ２１に排出する排出ローラ対５５と、記録用紙１２を支持するプラテン４２と、当接部材８０（図２では後述する第１当接部材８０Ａのみが図示されている）と、メディアセンサ１１０とを主に備えている。
【００３１】
［給紙トレイ２０］
図３に示されるように、給紙トレイ２０は、底板３２と、左側板３３及び右側板３４と、前板３５と、傾斜板３６とを備えている。左側板３３及び右側板３４は、底板３２の左右方向９における両端部から上向きへ突出されている。前板３５は、底板３２の前後方向８における前端部から上向きへ突出されている。左側板３３と右側板３４と前板３５とにより、排紙トレイ２１が支持されている（図１参照）。傾斜板３６は、前後方向８における底板３２の後端から後方斜め上へ向かって延びており、給紙部１５により送り出される記録用紙１２を搬送路６５へ案内する。
【００３２】
底板３２には、Ａ４サイズやＢ５サイズやリーガルサイズや葉書サイズなどの複数の定型サイズの記録用紙１２が載置される。底板３２には、種々の定型サイズの記録用紙１２の左右方向９の一方側端部（図３の例では左端部）の位置を示す目印が付されている。図３には、目印の一例として、「Ａ４」、「Ｂ５」、「はがき」の３種類が図示されているが、これらに限定されないことは言うまでもない。また、図３に示されるように、底板３２には、底板３２に載置される記録用紙１２の左右方向の両端の位置を位置決めするサイドガイド機構９０が設けられている。サイドガイド機構９０は、底板３２に載置された種々の定型サイズの記録用紙１２をセンタ合わせにより位置決めし、且つ記録用紙１２の斜行を抑制する。センタ合わせとは、記録用紙１２の左右方向９における中央を底板３２の左右方向９における中央に一致させる位置合わせを意味する。
【００３３】
［サイドガイド機構９０］
図３に示されるように、サイドガイド機構９０は、左右方向９へスライド可能に底板３２に支持された左右一対のガイド部材９１、９２（本発明の位置決め部材の一例）と、一対のガイド部材９１、９２を連動して移動させるピニオンギア９３とを備えている。ピニオンギア９３は、底板３２の左右方向９における中央部に、中心軸線を上下方向７に沿わせて配置されている。
【００３４】
ガイド部材９１は、底板３２の中央を前後方向８に延びる中心線（図３に一点鎖線で示される線）より左右方向９の右側に配置されている。ガイド部材９１は、底板３２に載置された支持板９４と、左右方向９における支持板９４の右端部から上向きへ突出された側板９５と、支持板９４から左右方向９における左方へ向かって延びるラックギア９６とを備えている。ラックギア９６は、前後方向８におけるピニオンギア９３の前側においてピニオンギア９３と噛み合っている。
【００３５】
ガイド部材９２は、底板３２の中心線より左右方向９の左側に配置されている。ガイド部材９２は、支持板９７、側板９８及びラックギア９９を備えており、ガイド部材９１とほぼ左右対称な形状とされている。ガイド部材９２のラックギア９９は、前後方向８におけるピニオンギア９３の後側においてピニオンギア９３と噛み合っている。
【００３６】
ユーザは、記録用紙１２の左右方向の中央を中心線に一致させるようにして、記録用紙１２を底板３２上に載置する。次に、ユーザは、ガイド部材９１を左右方向９の左向きにスライドさせて、記録用紙１２のサイズに相当する目印の位置に側板９５を到達させる。これにより、支持板９４が記録用紙１２の左右方向９における右端部の下に潜り込み、側板９５が記録用紙１２の右端に当接される。また、ガイド部材９１が左右方向９の左向きへスライドされると、ピニオンギア９３が回転され、ガイド部材９２が左右方向９の右向きへスライドされる。これにより、支持板９７が記録用紙１２の左右方向９における左端部の下に潜り込み、側板９８が記録用紙１２の左端に当接される。このようにして、底板３２に載置された種々の定型サイズの記録用紙１２は、サイドガイド機構９０によりセンタ合わせによって位置決めされる。また、後述される給紙部１５により記録用紙１２が前後方向８における後向きへ送り出される際に、左右方向９における記録用紙１２の両端が側板９５、９８に当接し、記録用紙１２の斜行が抑制される。
【００３７】
［給紙部１５］
図２に示されるように、プリンタ部１１の開口１３（図１参照）に装着された状態の給紙トレイ２０の上側には、給紙部１５が設けられている。給紙部１５は、給紙ローラ２５と、給紙アーム２６と、軸２７とを備えている。
【００３８】
給紙ローラ２５は、給紙アーム２６の先端側に回転可能に設けられている。給紙ローラ２５は、給紙用モータ（図７参照）から駆動力を付与されて回転する。なお、給紙ローラ２５は、後述する搬送用モータ１０２から駆動力を付与されて回転してもよい。
【００３９】
給紙アーム２６は、プリンタ部１１のフレームに支持された軸２７に回動可能に設けられている。給紙アーム２６は、自重或いはバネ等による弾性力によって給紙トレイ２０側へ回動付勢されている。給紙ローラ２５は、給紙トレイ２０に載置された記録用紙１２に当接した状態で回転することによって、給紙トレイ２０に載置された記録用紙１２をピックアップして後述する搬送路６５に給送する。
【００４０】
なお、本実施形態においては、給紙トレイ２０に載置された複数の記録用紙１２のうちの１番上の記録用紙を給紙部１５でピックアップして搬送路６５に送り出す例を説明したが、本発明はこれに限定されず、連続紙を搬送路６５に送り出す構成の給紙トレイ２０及び給紙部１５を採用してもよい。
【００４１】
［搬送路６５］
図２に示されるように、搬送路６５は、プリンタ部１１の内部において、所定間隔で対向する外側ガイド部材１８及び内側ガイド部材１９によって区画される空間を指す。搬送路６５は、給紙トレイ２０の後端部を基点としてプリンタ部１１の後方側に延び、プリンタ部１１の後方側において下方から上方に延びつつＵターンし、記録部２４を経て排紙トレイ２１に至る通路である。より詳細には、搬送路６５は、搬送ローラ対５４による挟持位置、記録部２４の下側、及び排出ローラ対５５による挟持位置を経て排紙トレイ２１へ通じている。なお、搬送路６５内における記録用紙１２搬送向き１６は、図２において一点鎖線の矢印で示されている。
【００４２】
［搬送ローラ対５４及び排出ローラ対５５］
図２に示されるように、搬送路６５における記録部２４よりも搬送向き１６の上流側には、搬送ローラ６０とピンチローラ６１とを有する搬送ローラ対５４が設けられている。搬送路６５において、記録部２４よりも搬送向き１６の下流側には、排出ローラ６２と拍車６３とを有する排出ローラ対５５が設けられている。
【００４３】
搬送ローラ対５４を構成する搬送ローラ６０及びピンチローラ６１は、相互に当接されている。排出ローラ対５５を構成する排出ローラ６２及び拍車６３は、相互に当接されている。搬送ローラ６０及び排出ローラ６２は、搬送用モータ１０２（図７参照）から駆動力が伝達されて、回転する。これにより、搬送ローラ対５４及び排出ローラ対５５は、記録用紙１２を挟持して搬送向き１６に搬送する。
【００４４】
［プラテン４２］
図２に示されるように、搬送路６５の下側には、搬送ローラ対５４及び排出ローラ対５５の間の位置、すなわち、搬送ローラ対５４より搬送向き１６の下流側で且つ排出ローラ対５５より搬送向き１６の上流側に、プラテン４２が設けられている。プラテン４２は、記録部２４に対向して配置され、搬送路６５を搬送される記録用紙１２を下側から支持する部材である。
【００４５】
図５に示されるように、プラテン４２の上面には、上方に突出した複数の支持リブ５２が形成されている。各支持リブ５２は、前後方向８に延びている。詳細には、各支持リブ５２は、少なくとも後述するノズル４０と対向する位置において、前後方向８に延びている。具体的には、プラテン４２は、隣接する第１当接部材８０Ａ（後述）の間の位置に配置される支持リブ５２（本発明の第１リブの一例）と、隣接する第２当接部材８０Ｂ（後述）の間の位置に配置される支持リブ５２（本発明の第２リブの一例）とを有する。
【００４６】
また、各支持リブ５２は、左右方向９において、相互に所定の間隔を空けて配置されている。搬送路６５を搬送される記録用紙１２は、プラテン４２によって、詳細にはプラテン４２の上面に形成された複数の支持リブ５２によって支持される。
【００４７】
［記録部２４］
図２に示されるように、記録部２４は、搬送路６５の上側において、プラテン４２と対向する位置に設けられている。記録部２４は、キャリッジ２３と記録ヘッド３９とを備えている。キャリッジ２３は、搬送路６５の上側のプラテン４２に対向する位置に配置され、搬送向き１６と直交する走査方向（図２の紙面の奥行き方向）に往復動する。記録ヘッド３９は、キャリッジ２３に搭載され、記録用紙１２にノズル４０からインク滴を吐出するインクジェット記録方式を採用している。
【００４８】
図４に示されるように、キャリッジ２３は、プラテン４２の後側及び前側に設けられたガイドレール４３、４４によって支持されている。ガイドレール４３、４４の少なくとも一方には、公知のベルト機構（不図示）が設けられており、キャリッジ２３は、当該ベルト機構と連結されている。ベルト機構はキャリッジ駆動用モータ１０３（図７参照）により駆動される。これにより、キャリッジ２３は、左右方向９に往復移動可能である。
【００４９】
図２に示されるように、記録ヘッド３９は、キャリッジ２３に搭載されている。記録ヘッド３９の下面には、複数のノズル４０が形成されている。記録ヘッド３９には、インクカートリッジ（不図示）からインクが供給される。記録ヘッド３９は、ノズル４０からインクを微小なインク滴として吐出する。キャリッジ２３が左右方向９へ往復移動しているときに、ノズル４０からプラテン４２に支持されている記録用紙１２に対してインク滴が吐出される。これにより、記録用紙１２に画像が記録される。
【００５０】
［メディアセンサ１１０］
図２に示されるように、搬送路６５を搬送される記録用紙１２を検知するために用いられるメディアセンサ１１０が、キャリッジ２３に搭載されている。メディアセンサ１１０は、キャリッジ２３の下面（プラテン４２に対向する面）において、ノズル４０よりも搬送向き１６の上流側に配置される。
【００５１】
メディアセンサ１１０は、発光ダイオードなどからなる発光部１１１（図７参照）と、光学式センサなどからなる受光部１１２（図７参照）とを備えている。発光部１１１は、後述する制御部１３０（図７参照）によって指示された光量で、図５に示されるプラテン４２の検知領域１００（本発明の反射位置を含む領域を指す。）へ向けて光を照射する。検知領域１００へ照射された光は、プラテン４２またはプラテン４２に支持された記録用紙１２において反射する。反射された光は受光部１１２で受光される。メディアセンサ１１０は、受光部１１２における反射光の受光量に応じた電気信号を、制御部１３０へ出力する。例えば、メディアセンサ１１０は、受光量が大きい程、レベルの高い電気信号を制御部１３０へ出力する。
【００５２】
［当接部材８０］
図２、図４、及び図５に示されるように、搬送路６５におけるノズル４０よりも搬送向き１６の上流側には、複数の当接部材８０が設けられている。本実施形態では、図４に示されるように、９個の当接部材８０が設けられている。各当接部材８０は、図２及び図５に示されるように、取り付け部８１と、湾曲部８２と、当接部８３とで構成されている。
【００５３】
なお、以下の説明において、９個の当接部材８０のうち、左右方向９の中央に位置する１個の当接部材８０を第１当接部材８０Ａ（本発明の第１当接部の一例）と表記し、それ以外の８個の当接部材８０を第２当接部材８０Ｂ（本発明の第２当接部の一例）と表記する。また、第１当接部材８０Ａと第２当接部材８０Ｂとは、基本的な構成は共通し、細部が異なるだけであるので、共通する構成は第１当接部材８０Ａ及び第２当接部材８０Ｂを区別せずに説明し、その後に相違点を説明するものとする。
【００５４】
取り付け部８１は、概ね平板形状である。各取り付け部８１は、ガイドレール４３に取り付けられている。図５に示されるように、各取り付け部８１の上面には、複数（本実施形態では４個）の引っ掛け部７５が上側に突出されている。引っ掛け部７５は、上端部において後側に屈曲されている。一方、図４に示されるように、ガイドレール４３には複数の開口７４が設けられている。各引っ掛け部７５は、対応する開口７４に挿通されて係止される。これにより、各取り付け部８１の上面は、ガイドレール４３の下面に取り付けられる。また、各取り付け部８１は、左右方向９に相互に離間して取り付けられている。
【００５５】
図２、図４、及び図５に示されるように、湾曲部８２は、取り付け部８１から前側（つまり、当接部材８０をガイドレール４３に取り付けた状態における搬送向き１６の下流側）に突設されている。湾曲部８２は、前側に延びながら下側に向かって湾曲されている。湾曲部８２の先端部、つまり前端部からは当接部８３が前側に突出されている。
【００５６】
当接部８３は、概ね平板形状である。当接部８３は、記録ヘッド３９のノズル４０よりも搬送向き１６の上流側で、且つ搬送路６５を挟んでプラテン４２と対向する位置に設けられている。当接部８３の下面８４（図６参照）とプラテン４２との間の間隔は、記録ヘッド３９の下面とプラテン４２との間の間隔より狭く、記録用紙１２の搬送に支障がない程度の間隔である。換言すれば、当接部８３は、搬送向き及び走査方向に直交する対向方向において、キャリッジ２３とプラテン４２との間に設けられている。
【００５７】
図６に示されるように、当接部８３の下面８４には、下方に向かって突出する当接リブ８５が設けられている。当接リブ８５の下端は、プラテン４２に支持された記録用紙１２の画像記録面、つまり記録用紙１２の上面に当接する。これにより、記録用紙１２は、当接部８３によって、下側（つまりプラテン４２）へ向けて押さえられる。
【００５８】
ここで、図５に示されるように、プラテン４２に形成された各支持リブ５２は、左右方向９において、各当接部８３が形成されていない位置に形成されている。換言すれば、各支持リブ５２は、左右方向９に隣接する当接部材８０の間の位置からキャリッジ２３側に向けて突出している。つまり、当接部８３と支持リブ５２とは互いに対向していない。
【００５９】
また、図６に示されるように、各支持リブ５２は、各当接部８３の当接リブ８５の下端よりも上側まで突出されている。より詳細には、各支持リブ５２は、当接リブ８５と記録用紙１２との当接位置よりキャリッジ２３に近い位置で記録用紙１２と当接する。つまり、プラテン４２の上端は、当接部８３の下端よりも上方に位置している。以上より、搬送路６５を搬送される記録用紙１２は、プラテン４２と当接部８３との間において、前側或いは後側からみて波打った状態となる。
【００６０】
なお、上述のように、プラテン４２と当接部８３との間で記録用紙１２を波打たせた状態にすることは、本発明にとって必須ではない。すなわち、支持リブ５２に記録用紙１２を支持させる観点からは、支持リブ５２と記録用紙１２との当接位置は、当接リブ８５と記録用紙１２との当接位置より下側に位置してもよい。
【００６１】
ここで、第１当接部材８０Ａと第２当接部材８０Ｂとでは、図５に示されるように、当接部８３の突出長さが異なる。より詳細には、第１当接部材８０Ａの当接部８３は、第２当接部材８０Ｂの当接部８３と比較して、突出長さが長くなっている。また、本実施形態における第１当接部材８０Ａ及び第２当接部材８０Ｂは、搬送向き１６の同じ位置（すなわち、９個の当接部材８０の取り付け部８１が左右方向９に一列に並ぶ）でガイドレール４３に取り付けられている。
【００６２】
その結果、第１当接部材８０Ａの当接部８３の先端は、第２当接部材８０Ｂの当接部８３の先端より、搬送向き１６の下流側に位置することになる。より詳細には、第１当接部材８０Ａの当接部８３の先端は、搬送向き１６において、メディアセンサ１１０の検知領域１００と重畳する位置まで延出されている。図２の例では、第１当接部材８０Ａの先端は、搬送向き１６において、メディアセンサ１１０に重畳する位置（つまり、メディアセンサ１１０の直下）まで延出されている。一方、第２当接部材８０Ｂの当接部８３の先端は、搬送向き１６において、メディアセンサ１１０の検知領域１００より上流側に位置している。
【００６３】
なお、本実施形態では、第１当接部材８０Ａ及び第２当接部材８０Ｂそれぞれの当接部８３の突出長さを変更することによって、第１当接部材８０Ａの当接部８３の先端をメディアセンサ１１０に重畳させ、第２当接部材８０Ｂの当接部８３の先端をメディアセンサ１１０より上流側に配置する例を説明したが、本発明はこれに限定されない。例えば、第１当接部材８０Ａ及び第２当接部材８０Ｂを同一形状とし、ガイドレール４３における第１当接部材８０Ａの取り付け位置を、第２当接部材８０Ｂよりも搬送向き１６の下流側にすることによっても実現可能である。
【００６４】
また、第１当接部材８０Ａは、図６に示されるように、左右方向９において、給紙トレイ２０に載置可能な最小シートの左右方向９の両端が通過する位置より内側に対応する領域（図６の「最小シートの幅」と表記された両矢印の間の領域を指す。）にのみ配置される。一方、第２当接部材８０Ｂは、図６に示されるように、最小シートの内側の領域に配置されてもよいし、外側に対応する領域に配置されてもよい。
【００６５】
なお、本実施形態における最小シートとは、給紙トレイ２０に載置可能な定型サイズの記録用紙１２のうち、左右方向９の長さが最も短い記録用紙１２を指す。この最小シートは、例えば、給紙トレイ２０の底板３２に付された目印によって規定される最小の定型サイズの記録用紙１２（図３の例では「はがき」が該当する）を指す。但し、最小シートの特定方法はこれに限定されず、例えば、一対のガイド部材９１、９２の間の距離を最も近づけたときのサイズであってもよいし、後述する制御部１３０によって認識可能な最小サイズであってもよい。
【００６６】
さらに、第１当接部材８０Ａは、図６に示されるように、プラテン４２の左右方向９の中央（図６の二点鎖線で示される位置）を基準として、プラテン４２の左右方向９の一方側及び他方側の対称な領域それぞれにおいて、プラテン４２と対向している。より詳細には、本実施形態における第１当接部材８０Ａは、その左右方向９の中央がプラテン４２の左右方向９の中央と一致するように配置されている。すなわち、第１当接部材８０Ａの右半分はプラテン４２の中央より右側の領域でプラテン４２と対向し、第１当接部材８０Ａの左半分はプラテン４２の中央より左側の領域でプラテン４２と対向する。
【００６７】
なお、上述の「プラテン４２の左右方向９の中央」とは、プラテン４２の長手方向の物理的な長さの中央を必ずしも指すものではない。例えば、記録用紙１２が通過し得る領域の左右の一方のみを延長させた左右非対称のプラテンにおいて、当該プラテンの長手方向の物理的な長さの中央は、図６の二点鎖線に一致しない。すなわち、プラテン４２の左右方向９の中央とは、記録用紙１２が通過し得るプラテン４２上の領域の左右方向９の中央と言い換えることができる。または、プラテン４２の中央線４３とは、センタ合わせされた記録用紙１２の幅方向の中央がプラテン４２上を通過する位置と言い換えることもできる。
【００６８】
［制御部１３０］
図７に示されるように、制御部１３０は、ＣＰＵ１３１、ＲＯＭ１３２、ＲＡＭ１３３、ＥＥＰＲＯＭ１３４、及びＡＳＩＣ１３５を備えている。これらは内部バス１３７によって接続されている。
【００６９】
ＲＯＭ１３２には、ＣＰＵ１３１が各種動作を制御するためのプログラムなどが格納されている。ＲＡＭ１３３は、ＣＰＵ１３１が上記プログラムを実行する際に用いるデータや信号等を一時的に記録する記憶領域、或いはデータ処理の作業領域として使用される。ＥＥＰＲＯＭ１３４には、電源オフ後も保持すべき設定やフラグ等が格納される。
【００７０】
ＡＳＩＣ１３５には、給紙用モータ１０１、搬送用モータ１０２、及びキャリッジ駆動用モータ１０３が接続されている。ＡＳＩＣ１３５には、各モータを制御する駆動回路が組み込まれている。ＣＰＵ１３１は、各モータを回転させるための駆動信号を各モータに対応する駆動回路（不図示）に出力する。駆動回路は、ＣＰＵ１３１から取得した駆動信号に応じた駆動電流を対応するモータへ出力する。これにより、対応するモータが回転する。つまり、制御部１３０は、各モータ１０１、１０２、１０３を制御する。
【００７１】
また、ＡＳＩＣ１３５には、メディアセンサ１１０が接続されている。制御部１３０は、メディアセンサ１１０の動作開始を指示する信号を、ＡＳＩＣ１３５を通じてメディアセンサ１１０へ出力する。これにより、発光部１１１は、所定の光量の光を下方へ向けて照射する。また、受光部１１２は、発光部１１１から照射された光のプラテン４２又は記録用紙１２における反射光を受光する。メディアセンサ１１０は、受光部１１２で受光された反射光の受光量に応じたレベルの電気信号を制御部１３０へ出力する。制御部１３０は、メディアセンサ１１０から取得した電気信号のレベルに基づいて、反射光の受光量を認識する。
【００７２】
例えば、制御部１３０は、キャリッジ２３を左右方向９に移動させながら、メディアセンサ１１０から取得される電気信号のレベルの変化を監視する。プラテン４２で反射された反射光の光量は、記録用紙１２で反射された反射光の光量よりも小さい。そこで、制御部１３０は、メディアセンサ１１０から取得した電気信号のレベルが急激に変化したタイミングにおけるメディアセンサ１１０の位置を記録用紙１２の幅方向の端部の位置と認識する。
【００７３】
［本実施形態の効果］
本実施形態によれば、第１当接部材８０Ａの当接部８３の下流端が搬送向き１６においてメディアセンサ１１０と重畳する位置まで延出されているので、ノズル４０の近傍における記録用紙１２の浮き上がりを抑制することができる。また、第１当接部材８０Ａは、最小シートの内側の領域のみに設けられているので、メディアセンサ１１０による記録用紙１２の左右方向９の端部の検知を妨げることがない。
【００７４】
また、本実施形態によれば、給紙トレイ２０に載置される記録用紙１２はセンタ合わせにより位置決めされるので、全ての定型サイズの記録用紙１２の走査方向の中央は、実質的に搬送路６５の同じ場所（搬送路６５の走査方向の中央）を通過する。また、本実施形態における第１当接部材８０Ａは、プラテン４２の左右方向９の中央に配置される。その結果、第１当接部材８０Ａは、搬送路６５を搬送される全ての定型サイズの記録用紙１２の中央に当接し得るので、給紙トレイ２０に載置可能なあらゆるサイズの記録用紙１２の浮き上がりを有効に防止できる。
【００７５】
また、本実施形態によれば、第１当接部材８０Ａの左右方向９の一方側及び他方側に複数の第２当接部材８０Ｂを配置したので、サイズの大きな記録用紙１２に画像を記録する場合であっても、当該記録用紙１２の全域で浮き上がりを防止できる。さらに、この第２当接部材８０Ｂの当接部８３の先端は、搬送向き１６において、メディアセンサ１１０の検知領域１００に干渉しないので、メディアセンサ１１０による記録用紙１２の左右方向９の端部の検知を妨げることがない。
【００７６】
さらに、本実施形態によれば、上下方向７において、プラテン４２に設けられた支持リブ５２の上端の位置を、当接部材８０に設けられた当接リブ８５の下端の位置より上方に配置したので、記録用紙１２を波打たせた状態で搬送することができる。その結果、搬送中に記録用紙１２が反り返ることによる紙詰まり等を防止できる。
【００７７】
［変形例］
次に、図８及び図９を参照して、本実施形態の変形例が説明される。図８及び図９は、プラテン４２、支持リブ５２、当接部材８０の当接部８３、及びメディアセンサ１１０の検知領域１００の位置関係を模式的に示す図である。
【００７８】
変形例１に係る当接部材８０は、図８（Ａ）に示されるように、最小シートの内側の領域のみに設けられている。すなわち、変形例１は、第１当接部材８０Ａのみを有する点で、第２当接部材８０Ｂをさらに有する実施形態と相違する。このように、本発明では、少なくとも第１当接部材８０Ａのみが設けられていれば一定の効果が期待でき、第２当接部材８０Ｂは省略できる。
【００７９】
また、変形例１に係る第１当接部材８０Ａは、最小シートの内側の領域に、左右方向９に離間した複数の位置（図８（Ａ）の例では２カ所）に設けられている点で、第１当接部材８０Ａが１カ所にのみ設けられている実施形態と相違する。なお、変形例１に係る２つの第１当接部材８０Ａは、プラテン４２の左右方向９の中央（図８（Ａ）の二点鎖線で示される位置）を基準として、対称な位置に配置されている。すなわち、最小シートの内側の領域には、１以上の第１当接部材８０Ａを配置することができる。また、複数の第１当接部材８０Ａを設ける場合、プラテン４２から上方に突出する支持リブ５２は、図８（Ａ）に示されるように、左右方向９に隣接する第１当接部材８０Ａの間に設けられるのが望ましい。
【００８０】
さらに、変形例１に係る第１当接部材８０Ａの当接部８３の下面は、図８（Ｂ）に示されるように、プラテン４２に設けられた支持リブ５２より上方に配置されている。すなわち、第１当接部材８０Ａのみで記録用紙１２の浮き上がりを防止しようとする場合、上下方向７において、第１当接部材８０Ａの当接部８３と記録用紙１２との当接位置（当接リブ８５が設けられる場合は、当接リブ８５と記録用紙１２との当接位置）は、支持リブ５２と記録用紙１２との当接位置よりも上方であってもよい。この場合、図６に示される当接リブ８５は、省略することができる。
【００８１】
また、図９に示される変形例２は、記録用紙１２の位置を左右方向の一方側端部（図９の例では左端）を基準として位置合わせするサイド合わせを採用する点で、センタ合わせを採用する実施形態と相違する。サイド合わせが採用される場合であっても、左右方向９において、最小シートの内側の領域（図９の左端部）に第１当接部材８０Ａが配置され、それ以外の領域に第２当接部材８０Ｂが配置される。
【００８２】
上記の実施形態及び変形例１、２においては、第１当接部材８０Ａの全体を最小シートの内側の領域に含める例を説明したが、本発明はこれに限定されない。すなわち、第１当接部材８０Ａのうち、メディアセンサ１１０の検知領域１００に重畳する部分（当接部８３の先端）のみを最小シートの内側の領域に配置すればよい。これにより、第１当接部材８０Ａの配置の自由度が高まる。
【００８３】
また、上記実施形態及び変形例１、２では、メディアセンサ１１０と第１当接部材８０Ａの当接部８３とが、上下方向７において重畳する例を示したが、本発明はこれに限定されない。例えば、メディアセンサ１１０の発光部１１１がプラテン４２に向けて斜めに光を照射するような場合、第１当接部材８０Ａの当接部８３のうち、メディアセンサ１１０とプラテン４２との間の光路上に位置する部分を、最小シートの内側の領域に配置すればよい。
【００８４】
また、上述された実施形態及び変形例１、２は、本発明を実施する形態のうちの一例にすぎない。つまり、本発明の趣旨を超えない範囲において、実施形態及び変形例１、２を任意に組み合わせることができる。
【符号の説明】
【００８５】
１１・・・・・プリンタ部
２０・・・・・給紙トレイ
２３・・・・・キャリッジ
３９・・・・・記録ヘッド
４２・・・・・プラテン
５２・・・・・支持リブ
５４・・・・・搬送ローラ対
８０Ａ・・・・第１当接部材
８０Ｂ・・・・第２当接部材
９１，９２・・ガイド部材
１００・・・・検知領域
１１０・・・・メディアセンサ
１１１・・・・発光部
１１２・・・・受光部
【図１】
2014069395.tif 000003
【図２】
2014069395.tif 000004
【図３】
2014069395.tif 000005
【図４】
2014069395.tif 000006
【図５】
2014069395.tif 000007
【図６】
2014069395.tif 000008
【図７】
2014069395.tif 000009
【図８】
2014069395.tif 000010
【図９】
2014069395.tif 000011